(57)【特許請求の範囲】
【請求項１】
便器本体の上部に設けられたケーシングと、該ケーシングを覆うカバーと、を有する便器装置において、
前記カバーは、薄板状に形成されて前記ケーシングの上面を覆う本体部と、
該本体部の縁部に設けられて使用者が手を掛けることができる手掛け部と、を有し、
前記ケーシングおよび前記本体部の後縁部は、幅方向の両端部よりも前記幅方向の中間部が後側に突出するように湾曲し、
前記手掛け部は、前記本体部の後縁部における前記幅方向の両端部の近傍に設けられていることを特徴とする便器装置。
【請求項２】
前記ケーシングには、前記カバーを正位置に配置するための位置決め部が設けられて、
前記位置決め部は、前記カバーに設けられた凸部が挿入される凹部であることを特徴とする請求項１に記載の便器装置。
【請求項３】
前記カバーおよび前記ケーシングの少なくとも一方に切欠き部が形成されていて、
該切欠き部は、前記手掛け部に臨む位置に配置されている請求項１または２に記載の便器装置。
【発明の詳細な説明】
【技術分野】
【０００１】
本発明は、便器装置に関する。
【背景技術】
【０００２】
便器本体の上部に設けられ局部洗浄装置、脱臭装置などの各種機能装置や機能部品などが収容されたケーシングと、ケーシングを覆うカバーと、を有する便器装置が知られている（例えば、特許文献１参照）。
一般にこのような便器装置では、カバーは、ケーシングの上面を覆う上板部と、上板部の側縁部から下側に突出しケーシングの両側面を覆う一対の側板部と、を有している。また、ケーシングにはカバーを係止する係止部が設けられていて、使用者がカバーを所定以上の力で持ち上げることでカバーがケーシングから外れるように構成されている。そして、使用者は、カバーの一対の側板部を両側から手で挟んで上側に持ち上げることで、カバーをケーシングから取り外している。
【先行技術文献】
【特許文献】
【０００３】
【特許文献１】特開２００８−２９７７８５公報
【発明の概要】
【発明が解決しようとする課題】
【０００４】
近年、意匠性を向上させるために、ケーシングの高さを抑え、カバーを主にケーシングの上面のみを覆う薄板状に形成するデザインが考えられている。このような場合、カバーに使用者が手で挟んで持ち上げるための十分な大きさの側板部を形成することができず、カバーをケーシングから取り外し辛くなる虞がある。
【０００５】
そこで、本発明は、カバーが薄板状であってもカバーをケーシングから容易に取り外すことができる便器装置を提供することを目的とする。
【課題を解決するための手段】
【０００６】
上記目的を達成するため、本発明に係る便器装置は、便器本体の上部に設けられたケーシングと、該ケーシングを覆うカバーと、を有する便器装置において、前記カバーは、薄板状に形成されて前記ケーシングの上面を覆う本体部と、該本体部の縁部に設けられて使用者が手を掛けることができる手掛け部と、を有し、前記ケーシングおよび前記本体部の後縁部は、幅方向の両端部よりも前記幅方向の中間部が後側に突出するように湾曲し、前記手掛け部は、前記本体部の後縁部における前記幅方向の両端部の近傍に設けられていることを特徴とする。
【０００７】
本発明では、本体部の縁部に手掛け部を有することにより、本体部が薄板状で本体部の側端部から下側に突出する側板部が設けられていない場合、または側板部が小さい場合でも、使用者が手掛け部に手を掛けることでカバーをケーシングから容易に取り外すことができる。
【０００８】
また、本発明に係る便器装置では、前記手掛け部は、前記本体部の後縁部に設けられている。
このような構成とすることにより、手掛け部を前方から見えにくい位置に配置することができるため、カバーの意匠性を向上させることができる。
また、本発明に係る便器装置では、前記ケーシングには、前記カバーを正位置に配置するための位置決め部が設けられて、前記位置決め部は、前記カバーに設けられた凸部が挿入される凹部であってもよい。
このような構成とすることにより、カバーを容易に正位置に配置することができる。
【０００９】
また、本発明に係る便器装置では、前記カバーおよび前記ケーシングの少なくとも一方に切欠き部が形成されていて、該切欠き部は、前記手掛け部に臨む位置に配置されていることが好ましい。
このような構成とすることにより、使用者が切欠き部を介して手掛け部に容易に手を掛けることができる。
【発明の効果】
【００１１】
本発明によれば、カバーが薄板状であってもカバーをケーシングから容易に取り外すことができる。
【図面の簡単な説明】
【００１２】
【図１】本発明の実施形態による便器の一例を示す図である。
【図２】ケーシングおよびカバーを後側から見た図である。
【図３】図２のＡ−Ａ線断面図である。
【図４】ケーシングを上側から見た斜視図である。
【図５】カバーを下側から見た斜視図である。
【発明を実施するための形態】
【００１３】
以下、本発明の実施形態による便器装置について、図１乃至図５に基づいて説明する。
図１に示すように、本実施形態による便器装置１は、便器１１の便器本体１２の上部に配置された機能部２と、機能部２を収容するケーシング３と、ケーシング３を覆うカバー４と、を有している。
機能部２とは、局部洗浄装置、脱臭装置などの各種機能装置や機能部品や、これらを制御する制御部などを示している。また、機能部２は、便座５や便蓋（不図示）を開閉する開閉機構（不図示）を有している。開閉機構の軸部２１はケーシング３を貫通して便座５や便蓋を回動可能に支持している。
ここで、便器１１の機能部２が設けられている側を前後方向の後側とし、便座５が設けられている側を前後方向の前側とする。またこの前後方向に直交する水平方向を幅方向とする。
【００１４】
図１乃至図４に示すように、ケーシング３は、機能部２の上側に配置される上板部３１と、上板部３１の幅方向の両縁部からそれぞれ下側に延びる一対の側板部３２，３２と、上板部３１の後縁部から下側に延びる後板部３３と、上板部３１の前縁部から下側に延びる前板部３４と、を有している。一対の側板部３２，３２それぞれの前部側には、便座５や便蓋を支持する軸部２１が貫通する貫通孔が形成されている。
【００１５】
図２乃至図４に示すように、上板部３１と後板部３３との接続部分には、幅方向の両端部近傍にそれぞれケーシング切欠き部３５，３５が形成されている。ケーシング切欠き部３５，３５は、上方および後方に開口している。
上板部３１と後板部３３との接続部分のうちのケーシング切欠き部３５，３５の間の部分には、上板部３１と後板部３３とを接続する断面形状が略Ｌ字型状の段部（位置決め部）３６が形成されている。
上板部３１の後縁部および後板部３３は、幅方向の両端部よりも中間部が後側に突出するように湾曲している。
【００１６】
上板部３１には、幅方向の両端部近傍それぞれに前後方向に間隔をあけて３つずつ上側に開口する凹部状の係止部（位置決め部）３７，３７…が形成されている。前後方向に並ぶ３つの係止部３７，３７…のうちの後側の２つの係止部３７Ａ，３７Ｂは、これらの前側にある１つ係止部３７Ｃと比べて幅方向の外側に配置されている。係止部３７，３７…は、それぞれ平面視形状が矩形に形成されている。
【００１７】
上板部３１の幅方向の両縁部近傍および前縁部近傍には、上側に突出するケーシング凸条（位置決め部）３８が上板部３１の幅方向の両縁部および前縁部に沿って形成されている。ケーシング凸条３８は、上板部３１の幅方向の両縁部および前縁部に沿って連続して形成されていてもよいし、複数に分割して設けられていてもよい。
【００１８】
図５に示すように、カバー４は、ケーシング３の上板部３１の上側を覆う薄板状の本体部４１と、本体部４１の縁部から下側に突出するカバー凸条４２と、を有している。本実施形態では、カバー４は５ｍｍの厚さに形成され、本体部４１が３ｍｍの厚さに形成されている。
本体部４１には、幅方向の両端部近傍それぞれに前後方向に間隔をあけて３つずつ下側に突出する被係止部４３，４３…が形成されている。前後方向に並ぶ３つの被係止部４３，４３…のうちの後側の２つの被係止部４３Ａ，４３Ｂは、これらの前側にある１つ被係止部４３Ｃと比べて幅方向の外側に配置されている。被係止部４３，４３…は、それぞれ平面視形状が略Ｌ字型状に形成されている。なお、被係止部４３，４３…の形状は適宜設定されてよく、例えば、平面視形状が略十字形状や略Ｔ字型状などに形成されていてもよい。
本体部４１の後縁部は、幅方向の両端部よりも中間部が後側に突出するように湾曲している。
【００１９】
カバー凸条４２は、本体部４１の縁部に沿って形成されている。カバー凸条４２のうちの本体部４１の後縁部と連続する部分には、幅方向の両端部近傍にそれぞれカバー切欠き部４４，４４が形成されている。本体部４１のカバー切欠き部４４，４４の近傍の部分（図５の破線で示す部分）を手掛け部４５とする。
カバー凸条４２のうちのカバー切欠き部４４，４４の間の部分は、その他の部分よりも下側に多く突出している。
【００２０】
カバー４は、ケーシング３の上に取り付けられると、本体部４１の縁部が上板部３１の縁部と上下方向に重なるように、本体部４１がケーシング３の上板部３１の上に配置されている。
カバー４の被係止部４３，４３…は、それぞれケーシング３の係止部３７，３７…に挿入される。このとき、被係止部４３，４３…の角部と挿入された係止部３７，３７…の角部とが重なり、被係止部４３，４３…が係止部３７，３７…の内部で水平方向に移動しないように構成されている。
カバー凸条４２は、ケーシング凸条３８よりも平面視における外側に配置される。カバー凸条４２は、下端部がケーシング凸条３８よりも外側において上板部３１の上面と当接していて、ケーシング凸条３８によってケーシング凸条３８よりも内側に移動しないように構成されている。
カバー凸条４２のうちのカバー切欠き部４４，４４の間の部分は、ケーシング３の段部３６の上に配置され、カバー凸条４２の下端部は段部３６と当接している。
【００２１】
手掛け部４５，４５およびカバー切欠き部４４，４４は、それぞれケーシング３のケーシング切欠き部３５，３５の上側に配置されている。このため、使用者がカバー切欠き部４４，４４およびケーシング切欠き部３５，３５の後側からケーシング切欠き部３５，３５の内部に使用者が指を入れることで、その指を手掛け部４５，４５の下面に掛けることができるように構成されている。
【００２２】
カバー４をケーシング３から取り外す方法について説明する。
まず、カバー切欠き部４４，４４およびケーシング切欠き部３５，３５の後側からケーシング切欠き部３５，３５の内部に指をいれカバー４の手掛け部４５，４５に下側から指を掛ける。
そして、手掛け部４５，４５に掛けた指を上方に上げてカバー４を上方に移動させ、カバー４をケーシング３から取り外す。このようにしてカバー４がケーシング３から取り外される。
ケーシング３から取り外したカバー４をケーシング３に取り付けるには、カバー４を把持して被係止部４３，４３…を係止部３７，３７…に挿入するようにして、カバー４をケーシング３の上側に載置する。被係止部４３，４３…が係止部３７，３７…に挿入されるとカバー４がケーシング３に対して正位置に配置される。そして、カバー凸条４２がケーシング凸条３８よりも外側に配置され、カバー切欠き部４４，４４がケーシング切欠き部３５，３５の上側に配置される。このようにしてカバー４がケーシング３に取り付けられる。
なお、カバー４をケーシング３に取り付ける場合には、手掛け部４５，４５以外を把持して行ってもよい。
【００２３】
次に、上述した本実施形態による便器装置の作用・効果について図面を用いて説明する。
上述した本実施形態による便器装置１では、カバー４が手掛け部４５，４５を有することにより、カバー４が薄板状で従来のような側板部が設けられていなくても、使用者が手掛け部４５に手（指）を掛けることでカバー４をケーシング３から容易に取り外すことができる。
また、手掛け部４５，４５は、本体部４１の後縁部に設けられていることにより、手掛け部４５，４５を前方から見えにくい位置に配置することができ、カバー４の意匠性を向上させることができる。
【００２４】
また、カバー４にはカバー切欠き部４４，４４が形成され、ケーシング３にはケーシング切欠き部３５，３５が形成されているため、使用者がカバー切欠き部４４，４４およびケーシング切欠き部３５，３５を介して手掛け部４５，４５に容易に手を掛けることができる。
また、ケーシング３およびカバー４の後縁部は、幅方向の両端部よりも中間部が後側に突出するように湾曲している。これにより、ケーシング３およびカバー４の後側に壁が近接していても、ケーシング３およびカバー４の後縁部における幅方向の両端部近傍と壁と間にはスペースが形成される。このため、カバー４の幅方向の両端部近傍に手掛け部４５，４５を設けることにより、ケーシング３およびカバー４の後側に壁が近接していても、使用者がケーシング３およびカバー４の幅方向両端部近傍と壁との間のスペースを介して手掛け部４５，４５に容易に手を掛けることができる。
【００２５】
また、ケーシング３には、カバー４の被係止部４３，４３…が挿入される係止部３７，３７…が設けられていることにより、ケーシング３に対してカバー４を容易に正位置に配置することができる。
また、ケーシング３には、ケーシング凸条３８および段部３６が形成され、カバー４にはカバー凸条４２が形成されていることにより、ケーシング３に対してカバー４を容易に正位置に配置することができる。
【００２６】
以上、本発明による便器装置の実施形態について説明したが、本発明は上記の実施形態に限定されるものではなく、その趣旨を逸脱しない範囲で適宜変更可能である。
例えば、上記の実施形態では、手掛け部４５，４５は、カバー４の本体部４１の後縁部に設けられているが、後縁部に代わって幅方向の縁部や前縁部に設けられていてもよい。また、本体部４１の外周が使用者が手を掛けることができるように形成され、手掛け部を構成していてもよい。
また、上記の実施形態では、カバー４は、ケーシング３の上板部３１の全体を覆っているが、ケーシング３の上板部３１の一部を覆っていてもよいし、側板部３２や後板部３３、前板部３４を覆っていてもよい。
【００２７】
また、上記の実施形態では、カバー切欠き部４４，４４およびケーシング切欠き部３５，３５の上側に手掛け部４５，４５が設けられているが、このような手掛け部４５，４５に代わって、カバー４の縁部から水平方向に突出する手掛け部が設けられていてもよい。
また、上記の実施形態では、カバー４にはカバー切欠き部４４，４４が形成され、ケーシング３にはケーシング切欠き部３５，３５が形成されているが、カバー切欠き部４４，４４およびケーシング切欠き部３５，３５のいずれか一方が形成されていてもよいし、両方が形成されていなくてもよい。
【００２８】
また、上記の実施形態では、ケーシング３に形成された係止部３７，３７…と、カバー４に形成された被係止部４３，４３…と、が設けられていて、被係止部４３，４３…が係止部３７，３７…に挿入されて係止されるように構成されているが、係止部３７，３７…や被係止部４３，４３…が設けられていなくてもよい。
また、上記の実施形態では、ケーシング３に形成されたケーシング凸条３８および段部３６と、カバー４に形成されたカバー凸条４２と、が設けられていて、ケーシング凸条３８および段部３６の外側にカバー凸条４２が配置されるように構成されているが、ケーシング凸条３８、段部３６、およびカバー凸条４２が設けられていなくてもよい。ケーシング３に対するカバー４の位置決め部は、上記以外であってもよい。
【００２９】
また、上記の実施形態では、便器装置１は、機能部２と、ケーシング３と、カバー４と、を有しているが、これらに加えて便器本体１２や便座５、便蓋などを有していてもよい。例えば、便器装置１が機能部２と、ケーシング３と、カバー４と、便座５と、便蓋と、を有していて、既存の便器本体１２に対して取り付けられるように構成されていてもよい。
【符号の説明】
【００３０】
１  便器装置
２  機能部
３  ケーシング
４  カバー
１１  便器
１２  便器本体
３５  ケーシング切欠き部
３７  係止部（位置決め部）
３８  ケーシング凸条（位置決め部）
４１  本体部
４２  カバー凸条
４３  被係止部
４４  カバー切欠き部
４５  手掛け部
【図１】
0006762742.tif 000002
【図２】
0006762742.tif 000003
【図３】
0006762742.tif 000004
【図４】
0006762742.tif 000005
【図５】
0006762742.tif 000006